(57)【要約】【課題】  ２種類の記録フォーマットが選択可能な記録媒体について、ユーザが何れの記録フォーマットであるかを識別可能とする。【解決手段】  カートリッジ９１の所定の隅部には、ディスクが従来のミニディスクであるかＨｉ-ＭＤ１であるかをユーザが視認可能とするためのスライダ９４が設けられている。カートリッジ９１の挿入時には、ディスクドライブ装置の蓋側に設けられた爪部１００が押し下げられ、スライダ９４が従来のミニディスクを示す方向にスライドする。取出時には、ディスクが従来のミニディスクである場合には、爪部１００が押し下げられず、カートリッジ９１は、スライダ９４が従来のミニディスクを示す位置のまま排出される。一方、ディスクがＨｉ-ＭＤ１である場合には、挿入時と同様に爪部１００が押し下げられ、スライダ９４がＨｉ-ＭＤ１を示す方向にスライドし、その状態で排出される。【選択図】  図１４
2005071506.tif 000002
【特許請求の範囲】
【請求項１】
第１の記録フォーマットと第２の記録フォーマットとが選択可能とされ、且つカートリッジに収納された形態の記録媒体を再生する再生装置において、
上記カートリッジの所定位置には、上記第１の記録フォーマットに対応する第１の位置と上記第２の記録フォーマットに対応する第２の位置との間をスライド可能なスライダが設けられており、
上記記録媒体の記録フォーマットを判別する判別手段と、
上記判別手段による判別結果に応じて上記スライダをスライドさせるスライド手段とを備え、
上記スライド手段は、上記カートリッジの挿入時に、上記スライダを上記第１の位置にスライドさせ、上記カートリッジの取出時に、上記判別結果が上記第１の記録フォーマットであれば上記カートリッジをそのまま排出し、上記判別結果が上記第２の記録フォーマットであれば上記スライダを上記第２の位置にスライドさせて上記カートリッジを排出する
ことを特徴とする再生装置。
【請求項２】
上記スライダは、上記カートリッジの主面上の所定の隅部に該カートリッジの挿入方向にスライド可能に設けられており、
上記スライド手段は、上記カートリッジの挿入時又は取出時に上記スライダをスライド可能に出現する爪部を有する
ことを特徴とする請求項１記載の再生装置。
【請求項３】
第１の記録フォーマットと第２の記録フォーマットとが選択可能とされ、且つカートリッジに収納された形態の記録媒体を再生する再生装置の記録フォーマット判別方法であって、
上記カートリッジの所定位置には、上記第１の記録フォーマットに対応する第１の位置と上記第２の記録フォーマットに対応する第２の位置との間をスライド可能なスライダが設けられており、
上記カートリッジの挿入時に、上記スライダを上記第１の位置にスライドさせる挿入工程と、
上記記録媒体の記録フォーマットを判別する判別工程と、
上記カートリッジの取出時に、上記判別工程における判別結果が上記第１の記録フォーマットであれば上記カートリッジをそのまま排出し、上記判別結果が上記第２の記録フォーマットであれば上記スライダを上記第２の位置にスライドさせて上記カートリッジを排出する取出工程と
を有することを特徴とする記録フォーマット判別方法。
【請求項４】
上記スライダは、上記カートリッジの主面上の所定の隅部に該カートリッジの挿入方向にスライド可能に設けられており、
上記挿入工程及び取出工程では、上記再生装置の所定位置に設けられた爪部が上記スライダをスライド可能に出現して、上記スライダを上記第１の位置又は上記第２の位置にスライドさせる
ことを特徴とする請求項１記載の再生装置。
【発明の詳細な説明】
【技術分野】
【０００１】
本発明は、カートリッジに収納された形態のディスク状の光磁気記録媒体を再生可能な再生装置及びその記録フォーマット判別方法に関する。
【背景技術】
【０００２】
現在、直径略６４ｍｍのディスクがカートリッジに収納された形態の小型のディスク状記録媒体が広く知られるようになった。この小型のディスク状記録媒体は、ミニディスク（登録商標）と呼ばれ、例えば光磁気記録（ＭＯ）方式によりデータが記録され再生も可能な記録再生型の光磁気ディスクがある。
【０００３】
さらに近年では、従来のミニディスクよりもさらに記録容量を上げた次世代ＭＤが開発されつつある。この次世代ＭＤとしては、従来の媒体（ディスクやカートリッジ）はそのままに、変調方式や論理構造などを変更してユーザエリア等を倍密度にし、記録容量を従来の約２倍の３００ＭＢに増加させたＭＤ（Ｈｉ-ＭＤ１）が挙げられる。また、近い将来、Ｈｉ-ＭＤ１に比してさらに記録容量を増加させたＭＤ（Ｈｉ-ＭＤ３）が、外形、光学系は互換性を保ちながらも、トラックピッチを従来の１．６μｍから１．２μｍに狭め、且つ例えばグルーブ（ディスク盤面上の溝）から磁壁移動検出（Domain Wall Displacement Detection：ＤＷＤＤ）によって記録マークを検出することによって開発されようとしている。
【０００４】
上記Ｈｉ-ＭＤ１は、従来のミニディスクと記録媒体の物理的仕様が同一であり、その記録フォーマットを変更することで、記録容量を増加させるものである。しかしながら、このＨｉ-ＭＤ１はリムーバブルメディアであるため、記録媒体単体で保管した場合など、ユーザがその記録フォーマットを知ることができない。その一方で、従来の記録フォーマットと異なる記録フォーマットに対応していないディスクドライブ装置では、Ｈｉ-ＭＤ１を再生することができないため、ユーザが予めその記録フォーマットを知ることができない場合には不便を生じる。
【０００５】
ここで、記録フォーマットを判別する従来の方法としては、例えば下記特許文献１のように、カートリッジ表面に磁気ストライプを形成し、ディスクドライブ装置側でその磁気ストライプに記録されている媒体情報を読み出す方法が挙げられる。
【０００６】
【特許文献１】特開平７−２９２９０号公報
【発明の開示】
【発明が解決しようとする課題】
【０００７】
しかしながら、この特許文献１における磁気ストライプは、ユーザが記録媒体の記録フォーマットを知るために設けられたものではないため、ユーザがその記録フォーマットを知ることができず、不便を生じるという問題があった。
【０００８】
本発明は、このような従来の実情に鑑みて提案されたものであり、２種類の記録フォーマットが選択可能な記録媒体について、ユーザが何れの記録フォーマットであるかを識別可能とする再生装置及びその記録フォーマット判別方法を提供することを目的とする。
【課題を解決するための手段】
【０００９】
上述した目的を達成するために、本発明に係る再生装置は、第１の記録フォーマットと第２の記録フォーマットとが選択可能とされ、カートリッジに収納された形態の記録媒体を再生する再生装置において、上記カートリッジの所定位置には、上記第１の記録フォーマットに対応する第１の位置と上記第２の記録フォーマットに対応する第２の位置との間をスライド可能なスライダが設けられており、上記記録媒体の記録フォーマットを判別する判別手段と、上記判別手段による判別結果に応じて上記スライダをスライドさせるスライド手段とを備え、上記スライド手段は、上記カートリッジの挿入時に、上記スライダを上記第１の位置にスライドさせ、上記カートリッジの取出時に、上記判別結果が上記第１の記録フォーマットであれば上記カートリッジをそのまま排出し、上記判別結果が上記第２の記録フォーマットであれば上記スライダを上記第２の位置にスライドさせて上記カートリッジを排出するものである。
【００１０】
また、上述した目的を達成するために、本発明に係る記録フォーマット判別方法は、第１の記録フォーマットと第２の記録フォーマットとが選択可能とされ、且つカートリッジに収納された形態の記録媒体を再生する再生装置の記録フォーマット判別方法であって、上記カートリッジの所定位置には、上記第１の記録フォーマットに対応する第１の位置と上記第２の記録フォーマットに対応する第２の位置との間をスライド可能なスライダが設けられており、上記カートリッジの挿入時に、上記スライダを上記第１の位置にスライドさせる挿入工程と、上記記録媒体の記録フォーマットを判別する判別工程と、上記カートリッジの取出時に、上記判別工程における判別結果が上記第１の記録フォーマットであれば上記カートリッジをそのまま排出し、上記判別結果が上記第２の記録フォーマットであれば上記スライダを上記第２の位置にスライドさせて上記カートリッジを排出する取出工程とを有する。
【００１１】
このような再生装置及びその記録フォーマット判別方法では、２種類の記録フォーマットが選択可能とされ、且つカートリッジに収納された形態の記録媒体が挿入される毎に、記録媒体の記録フォーマットを判別し、その判別結果に応じてカートリッジに設けられたスライダをスライドさせる。
【発明の効果】
【００１２】
本発明に係る再生装置及びその記録フォーマット判別方法によれば、２種類の記録フォーマットが選択可能とされ、且つカートリッジに収納された形態の記録媒体が挿入される毎に、記録媒体の記録フォーマットを判別し、その判別結果に応じてカートリッジに設けられたスライダをスライドさせるため、ユーザは、記録媒体のカートリッジのスライダを確認するのみで、何れの記録フォーマットであるかを識別することができる。
【発明を実施するための最良の形態】
【００１３】
以下、本発明を適用した具体的な実施の形態について、図面を参照しながら詳細に説明する。この実施の形態は、本発明を、カートリッジに収納された形態のディスク状の光磁気記録媒体に対する記録再生が可能なディスクドライブ装置に適用したものである。
【００１４】
このディスクドライブ装置は、従来の光磁気記録方式を採用したディスク状記録媒体に対して、このディスク状記録媒体の記録再生方式として通常用いられる記録フォーマットを適用するほか、この記録フォーマットとは異なる記録フォーマットを適用することによって、従来の光磁気記録媒体の記録容量を増加することをも実現したものである。
【００１５】
本実施の形態では、ディスク状の光磁気記録媒体として、ミニディスク（登録商標）方式の光磁気記録媒体に適用した場合に関して説明する。以下では特に、従来の記録フォーマットでフォーマット化されたディスクを「従来のミニディスク」とし、従来の記録フォーマットとは異なる記録フォーマットを適用することによって記録容量を増加することを実現したディスクを「Ｈｉ-ＭＤ１」とする。なお、この記録フォーマットは、ユーザ操作によっても変更可能である。
【００１６】
さらに、本実施の形態では、後述するように、ディスク状記録媒体が挿入されたカートリッジにスライダが設けられており、このスライダの位置によりユーザが記録フォーマットを知ることができるようになされている。
【００１７】
以下、Ｈｉ-ＭＤ１の仕様例を説明するとともに、本発明を適用して、従来のミニディスクであるかＨｉ-ＭＤ１であるかを判別し、これをユーザに視認可能とする方法について説明する。
【００１８】
１．ディスク仕様及びエリア構造
先ず、従来のミニディスク及びＨｉ-ＭＤ１の仕様について図１を用いて説明する。ミニディスク（及びＭＤ-ＤＡＴＡ）の物理フォーマットは、以下のように定められている。トラックピッチは、１．６μｍ、ビット長は、０．５９μｍ／ｂｉｔとなる。また、レーザ波長λは、λ＝７８０ｎｍであり、光学ヘッドの開口率は、ＮＡ＝０．４５としている。記録方式としては、グルーブ（ディスク盤面上の溝）をトラックとして記録再生に用いるグルーブ記録方式を採用している。また、アドレス方式としては、ディスク盤面上にシングルスパイラルのグルーブを形成し、このグルーブの両側に対して所定の周波数（２２．０５ＫＨｚ）で蛇行したウォブル（Wobble）を形成し、絶対アドレスを上記周波数を基準にＦＭ変調してウォブルドグルーブトラックに記録する方式を採っている。なお、本明細書では、ウォブルとして記録される絶対アドレスをＡＤＩＰ（Address in Pre-groove）ともいう。
【００１９】
従来のミニディスクでは、メインデータ部である３２セクタにリンクセクタである４セクタを付加して合計３６セクタを１クラスタ単位として記録を行っている。上記ＡＤＩＰ信号はクラスタアドレス、セクタアドレスから構成される。上記クラスタアドレスは、８ビットのクラスタＨと８ビットのクラスタＬとから構成され、セクタアドレスは、４ビットのセクタから構成される。
【００２０】
また、従来のミニディスクでは、記録データの変調方式としてＥＦＭ（８-１４変換）変調方式が採用されている。また、誤り訂正方式としては、ＡＣＩＲＣ（Advanced Cross Interleave Reed-Solomon Code）を用いている。データインタリーブには、畳み込み型を採用している。これにより、データの冗長度は、４６．３％となっている。
【００２１】
また、従来のミニディスクにおけるデータの検出方式は、ビットバイビット方式であって、ディスク駆動方式としては、ＣＬＶ（Constant Linear Velocity）が採用されている。ＣＬＶの線速度は、１．２ｍ／ｓである。
【００２２】
記録再生時の標準のデータレートは、１３３ｋＢ／ｓ、記録容量は、１６４ＭＢ（ＭＤ-ＤＡＴＡでは、１４０ＭＢ）である。また、データの最小書換単位（単位クラスタ）は、上述のように３２個のメインセクタと４個のリンクセクタによる３６セクタで構成されている。
【００２３】
続いて、本具体例として示すＨｉ-ＭＤ１に関して説明する。Ｈｉ-ＭＤ１は、上述した従来のミニディスクと記録媒体の物理的仕様は、同一である。そのため、トラックピッチは、１．６μｍ、レーザ波長λは、λ＝７８０ｎｍであり、光学ヘッドの開口率は、ＮＡ＝０．４５である。記録方式としては、グルーブ記録方式を採用している。また、アドレス方式は、ＡＤＩＰを利用する。このように、ディスクドライブ装置における光学系の構成やＡＤＩＰアドレス読出方式、サーボ処理は、従来のミニディスクと同様であるため、従来のミニディスクとの互換性が達成されている。
【００２４】
Ｈｉ-ＭＤ１は、記録データの変調方式として、高密度記録に適合したＲＬＬ（１-７）ＰＰ変調方式（ＲＬＬ；Run Length Limited、ＰＰ：Parity preserve/Prohibit rmtr（repeated minimum transition runlength））を採用している。また、誤り訂正方式としては、より訂正能力の高いＢＩＳ（Burst Indicator Subcode）付きのＲＳ-ＬＤＣ（Reed Solomon-Long Distance Code）方式を用いている。
【００２５】
具体的には、ホストアプリケーション等から供給されるユーザデータの２０４８バイトに４バイトのＥＤＣ（Error Detection Code）を付加した２０５２バイトを１セクタ（データセクタ、後述するディスク上の物理セクタとは異なる）とし、図２に示すように、Sector0〜Sector31の３２セクタを３０４列×２１６行のブロックにまとめる。ここで、各セクタの２０５２バイトに対しては、所定の疑似乱数との排他的論理和（Ex-OR）をとるようなスクランブル処理が施される。このスクランブル処理されたブロックの各列に対して３２バイトのパリティを付加して、３０４列×２４８行のＬＤＣ（Long Distance Code）ブロックを構成する。このＬＤＣブロックにインタリーブ処理を施して、１５２列×４９６行のブロック（Interleaved LDC Block）とし、これを図３に示すように３８列ずつ１列の上記ＢＩＳを介して配列することで１５５列×４９６行の構造とし、さらに先頭位置に２．５バイト分のフレーム同期コード（Frame Sync）を付加して、１行を１フレームに対応させ、１５７．５バイト×４９６フレームの構造とする。この図３の各行が、後述する図８に示す１レコーディングブロック（クラスタ）内のデータ領域のFrame10〜Frame505の４９６フレームに相当する。
【００２６】
以上のデータ構造において、データインタリーブは、ブロック完結型とする。これによりデータの冗長度は、２０．５０％になる。また、データの検出方式として、ＰＲ（１，２，１）ＭＬによるビタビ復号方式を用いる。
【００２７】
ディスク駆動方式には、ＣＬＶ方式を用い、その線速度は、２．４ｍ／ｓとする。記録再生時の標準データレートは、４．４ＭＢ／ｓである。この方式を採用することにより、総記録容量を３００ＭＢにすることができる。変調方式をＥＦＭからＲＬＬ（１-７）ＰＰ変調方式とすることによって、ウインドウマージンが０．５から０．６６６となるため、１．３３倍の高密度化が実現できる。また、データの最小書換単位であるクラスタは、１６セクタ、６４ｋＢで構成される。このように記録変調方式をＣＩＲＣ方式からＢＩＳ付きのＲＳ-ＬＤＣ方式及びセクタ構造の差異とビタビ復号を用いる方式にすることで、データ効率が５３．７％から７９．５％となるため、１．４８倍の高密度化が実現できる。
【００２８】
これらを総合すると、Ｈｉ-ＭＤ１は、記録容量を従来のミニディスクの約２倍である３００ＭＢにすることができる。
【００２９】
本具体例に示すＨｉ-ＭＤ１の盤面上のエリア構造例を図４に模式的に示す。Ｈｉ-ＭＤ１は、従来のミニディスクと同じ媒体であって、ディスクの最内周側は、プリマスタードエリアとして、ＰＴＯＣ（Premastered Table Of Contents）が設けられている。ここには、ディスク管理情報が物理的な構造変形によるエンボスピットとして記録されている。
【００３０】
プリマスタードエリアより外周は、光磁気記録可能なレコーダブルエリアとされ、記録トラックの案内溝としてのグルーブが形成された記録再生可能領域である。このレコーダブルエリアの最内周側は、ＵＴＯＣ（User Table Of Contents）領域であって、このＵＴＯＣ領域には、ＵＴＯＣ情報が記述されるとともに、プリマスタードエリアとの緩衝エリアや、レーザ光の出力パワー調整等のために用いられるパワーキャリブレーションエリアが設けられている。
【００３１】
なお、ここでは、Ｈｉ-ＭＤ１に音楽データ用のオーディオトラックとデータトラックとをディスク上に混在記録することもできる。この場合、例えば、図５に示すように、データエリアに少なくとも１つのオーディオトラックが記録されたオーディオ記録領域ＡＡと、少なくとも１つのデータトラックが記録されたＰＣ用データ記録領域ＤＡとがそれぞれ任意の位置に形成されることになる。
【００３２】
一連のオーディオトラックやデータトラックは、ディスク上で必ずしも物理的に連続して記録される必要はなく、図５に示すように複数のパーツに分割して記録されていてもよい。パーツとは、物理的に連続して記録される区間を示す。すなわち、図５のように物理的に離れた２つのＰＣデータ記録領域が存在する場合でも、データトラックの数としては、１つの場合もあり、複数の場合もある。
【００３３】
２．ディスクの管理構造
図６に基づいて、本具体例に示すＨｉ-ＭＤ１のデータ管理構造を説明する。
Ｈｉ-ＭＤ１では、上述したように、従来のミニディスクと同一の媒体であるため、Ｈｉ-ＭＤ１では、従来のミニディスクで採用されているように書き換え不可能なエンボスピットによりＰＴＯＣが記録されている。このＰＴＯＣには、ディスクの総容量、ＵＴＯＣ領域におけるＵＴＯＣ位置、パワーキャリブレーションエリアの位置、データエリアの開始位置、データエリアの終了位置（リードアウト位置）等が管理情報として記録されている。
【００３４】
Ｈｉ-ＭＤ１では、ＡＤＩＰアドレス００００〜０００２には、レーザの書込出力を調整するためのパワーキャリブレーションエリア（Rec Power Calibration Area）が設けられている。続く０００３〜０００５には、ＵＴＯＣが記録される。ＵＴＯＣには、トラック（オーディオトラック／データトラック）の記録・消去等に応じて書き換えられる管理情報が含まれ、各トラック及びトラックを構成するパーツの開始位置、終了位置等を管理している。また、データエリアにおいて未だトラックが記録されていないフリーエリア、すなわち書込可能領域のパーツも管理している。ＵＴＯＣ上では、ＰＣ用データ全体をＭＤオーディオデータによらない１つのトラックとして管理している。そのため、仮にオーディオトラックとデータトラックとを混在記録したとしても、複数のパーツに分割されたＰＣ用データの記録位置を管理できる。
【００３５】
また、ＵＴＯＣデータは、このＵＴＯＣ領域における特定のＡＤＩＰクラスタに記録され、ＵＴＯＣデータは、このＡＤＩＰクラスタ内のセクタ毎に、その内容が定義されている。具体的には、ＵＴＯＣセクタ０（このＡＤＩＰクラスタ内の先頭のＡＤＩＰセクタ）は、トラックやフリーエリアにあたるパーツを管理しており、ＵＴＯＣセクタ１及びセクタ４は、トラックに対応した文字情報を管理している。また、ＵＴＯＣセクタ２には、トラックに対応した記録日時を管理する情報が書き込まれる。
【００３６】
ＵＴＯＣセクタ０は、記録されたデータや記録可能な未記録領域、さらにデータの管理情報等が記録されているデータ領域である。例えば、ディスクにデータを記録する際、ディスクドライブ装置は、ＵＴＯＣセクタ０からディスク上の未記録領域を探し出し、ここにデータを記録する。また、再生時には、再生すべきデータトラックが記録されているエリアをＵＴＯＣセクタ０から判別し、そのエリアにアクセスして再生動作を行う。
【００３７】
なお、Ｈｉ-ＭＤ１では、ＰＴＯＣ及びＵＴＯＣは、従来のミニディスクシステムに準拠する方式、ここではＥＦＭ変調方式により変調されたデータとして記録されている。したがって、Ｈｉ-ＭＤ１は、ＥＦＭ変調方式により変調されたデータとして記録された領域と、ＲＳ-ＬＤＣ及びＲＬＬ（１-７）ＰＰ変調方式で変調された高密度データとして記録された領域とを有することになる。
【００３８】
また、ＡＤＩＰアドレス００３２に記述されるアラートトラックには、従来のミニディスクのディスクドライバ装置にＨｉ-ＭＤ１を挿入したとしても、この媒体が従来のミニディスクのディスクドライバ装置に対応していないことを知らせるための情報が格納されている。この情報は、「このディスクは、この再生装置に対応していないフォーマットです。」等の音声データ、或いは警告音データとしてもよい。また、表示部を備えるディスクドライバ装置であれば、この旨を表示するためのデータであってもよい。このアラートトラックは、従来のミニディスクに対応したディスクドライバ装置でも読取可能なように、ＥＦＭ変調方式によって記録されている。
【００３９】
ＡＤＩＰアドレス００３４には、Ｈｉ-ＭＤ１のディスク情報を表したディスクディスクリプションテーブル（Disc Description Table；ＤＤＴ）が記録される。ＤＤＴには、フォーマット形式、ディスク内論理クラスタの総数、媒体固有のＩＤ、このＤＤＴの更新情報、不良クラスタ情報等が記述される。
【００４０】
ＤＤＴ領域からは、ＲＳ-ＬＤＣ及びＲＬＬ（１-７）ＰＰ変調方式で変調された高密度データとして記録されるため、アラートトラックとＤＤＴとの間には、ガードバンド領域が設けられている。
【００４１】
また、ＲＬＬ（１-７）ＰＰ変調方式で変調された高密度データが記録される最も若いＡＤＩＰアドレス、すなわち、ＤＤＴの先頭アドレスには、ここを００００とする論理クラスタ番号（Logical Cluster Number；ＬＣＮ）が付される。１論理クラスタは、６５，５３６バイトであり、この論理クラスタが読み書き最小単位となる。なお、ＡＤＩＰアドレス０００６〜００３１は、リザーブされている。
【００４２】
続くＡＤＩＰアドレス００３６〜００３８には、認証によって公開可能となるセキュアエリア（Secure Area）が設けられている。このセキュアエリアによって、データを構成する各クラスタの公開可・不可等の属性を管理している。特に、このセキュアエリアでは、著作権保護のための情報、データ改竄チェックのための情報等を記録する。また、このほかの各種の非公開情報を記録することができる。この公開不可領域は、特別に許可された特定外部機器のみが限定的にアクセスできるようになっており、このアクセス可能な外部機器を認証する情報も含まれる。
【００４３】
ＡＤＩＰアドレス００３８からは、書込及び読取自由なユーザエリア（User Area）（任意データ長）とスペアエリア（Spare Area）（データ長８）とが記述される。ユーザエリアに記録されたデータは、ＬＣＮの昇順に並べたとき、先頭から２，０４８バイトを１単位としたユーザセクタ（User Sector）に区切られており、ＰＣ等の外部機器からは、先頭のユーザセクタを００００とするユーザセクタ番号（User Sector Number；ＵＳＮ）を付してＦＡＴファイルシステムにより管理されている。
【００４４】
なお、Ｈｉ-ＭＤ１のファイルは、ＦＡＴファイルシステムに基づいて管理される。例えば、各データトラックは、それぞれ独自にＦＡＴファイルシステムを持つ。或いは、複数のデータトラックにわたって１つのＦＡＴファイルシステムを記録するようにもできる。
【００４５】
３．ＡＤＩＰセクタ／クラスタ構造とデータブロック
続いて、本具体例として示すＨｉ-ＭＤ１のＡＤＩＰセクタ構造とデータブロックとの関係について図７を用いて説明する。従来のミニディスク（ＭＤ）システムでは、ＡＤＩＰとして記録された物理アドレスに対応したクラスタ／セクタ構造が用いられている。本具体例では、説明の便宜上、ＡＤＩＰアドレスに基づいたクラスタを「ＡＤＩＰクラスタ」と記す。また、Ｈｉ-ＭＤ１におけるアドレスに基づくクラスタを「レコーディングブロック（Recording Block）」或いは「Ｈｉ-ＭＤクラスタ」と記す。
【００４６】
Ｈｉ-ＭＤ１では、データトラックは、図７に示すようにアドレスの最小単位であるクラスタの連続によって記録されたデータストリームとして扱われている。具体的には、従来の１クラスタ（３６セクタ）を２分割して、１レコーディングブロックを１８セクタで構成する。
【００４７】
図７に示す１レコーディングブロック（１Ｈｉ-ＭＤクラスタ）のデータ構造としては、１０フレームのプリアンブルと、６フレームのポストアンブルと、４９６フレームのデータ部とからなる５１２フレームから構成されている。さらにこのレコーディングブロック内の１フレームは、同期信号領域と、データ、ＢＩＳ、ＤＳＶとからなる。
【００４８】
また、１レコーディングブロックの５１２フレームのうち、メインデータが記録される４９６フレームを１６等分した各々をアドレスユニット（Address Unit）とよぶ。各アドレスユニットは、３１フレームからなる。また、このアドレスユニットの番号をアドレスユニットナンバ（Address Unit Number；ＡＵＮ）とよぶ。このＡＵＮは、全てのアドレスユニットに付される番号であって、記録信号のアドレス管理に使用される。
【００４９】
Ｈｉ-ＭＤ１のように、ＡＤＩＰに記述された物理的なクラスタ／セクタ構造を有する従来のミニディスクに対して、１-７ＰＰ変調方式で変調された高密度データを記録する場合、ディスクに元々記録されたＡＤＩＰアドレスと、実際に記録するデータブロックのアドレスとが一致しなくなるという問題が生じる。ランダムアクセスは、ＡＤＩＰアドレスを基準として行われるが、ランダムアクセスでは、データを読み出す際、所望のデータが記録された位置近傍にアクセスしても、記録されたデータを読み出せるが、データを書き込む際には、既に記録されているデータを上書き消去しないように正確な位置にアクセスする必要がある。そのため、ＡＤＩＰアドレスに対応付けしたＨｉ-ＭＤクラスタ／Ｈｉ-ＭＤセクタからアクセス位置を正確に把握することが重要となる。
【００５０】
そこで、Ｈｉ-ＭＤ１の場合、媒体表面上にウォブルとして記録されたＡＤＩＰアドレスを所定規則で変換して得られるデータ単位によって高密度データクラスタを把握する。この場合、ＡＤＩＰセクタの整数倍が高密度データクラスタになるようにする。この考え方に基づいて、従来のミニディスクに記録された１ＡＤＩＰクラスタに対してＨｉ-ＭＤクラスタを記述する際には、各Ｈｉ-ＭＤクラスタを１／２ＡＤＩＰクラスタ（１８セクタ）区間に対応させる。
【００５１】
したがって、Ｈｉ-ＭＤ１では、従来のＭＤクラスタの１／２クラスタが最小記録単位（レコーディングブロック（Recording Block））として対応付けされている。
【００５２】
なお、本具体例では、前述したように、ホストアプリケーションから供給される２０４８バイト単位のデータブロックを１論理データセクタ（Logical Data Sector；ＬＤＳ）とし、このとき同一レコーディングブロック中に記録される３２個の論理データセクタの集合を論理データクラスタ（Logical Data Cluster；ＬＤＣ）としている。
【００５３】
以上説明したようなデータ構造とすることにより、Ｈｉ-ＭＤデータを任意位置へ記録する際、媒体に対してタイミングよく記録できる。また、ＡＤＩＰアドレス単位であるＡＤＩＰクラスタ内に整数個のＨｉ-ＭＤクラスタが含まれるようにすることによって、ＡＤＩＰクラスタアドレスからＨｉ-ＭＤデータクラスタアドレスへのアドレス変換規則が単純化され、換算のための回路又はソフトウェア構成が簡略化できる。
【００５４】
なお、図７では、１つのＡＤＩＰクラスタに２つのＨｉ-ＭＤクラスタを対応付ける例を示したが、１つのＡＤＩＰクラスタに３以上のＨｉ-ＭＤクラスタを配することもできる。このとき、１つのＨｉ-ＭＤクラスタは、１６ＡＤＩＰセクタから構成される点に限定されず、ＥＦＭ変調方式とＲＬＬ（１-７）ＰＰ変調方式におけるデータ記録密度の差やＨｉ-ＭＤクラスタを構成するセクタ数、また１セクタのサイズ等に応じて設定することができる。
【００５５】
図７においては、記録媒体上に記録するデータ構造を示したが、次に記録媒体上のグルーブウオ―ブルトラックに記録されているＡＤＩＰ信号を、後述する図１０のＡＤＩＰ復調器３８で復調した際のデータ構造に関してデータ構造に関して説明する。
【００５６】
図８には、Ｈｉ-ＭＤ１のＡＤＩＰのデータ構造が示されている。
Ｈｉ-ＭＤ１では、同期信号と、ディスクにおけるクラスタ番号等を示すクラスタＨ（Cluster H）情報及びクラスタＬ（Cluster L）情報と、クラスタ内におけるセクタ番号等を含むセクタ情報（Sector）とが記述されている。同期信号は、４ビットで記述され、クラスタＨは、アドレス情報の上位８ビットで記述され、クラスタＬは、アドレス情報の下位８ビットで記述され、セクタ情報は、４ビットで記述される。また、後半の１４ビットには、ＣＲＣが付加されている。以上、４２ビットのＡＤＩＰ信号が各ＡＤＩＰセクタに記録されている。
【００５７】
ＡＤＩＰのデータ構造では、上述したクラスタＨ（Cluster H）情報及びクラスタＬ（Cluster L）情報の構成は、任意に決定できる。また、ここに他の付加情報を記述することもできる。例えば、下位８ビットで表されるクラスタＬに替えて、ディスクコントロール情報を記述することもできる。ディスクコントロール情報としては、サーボ信号補正値、再生レーザパワー上限値、再生レーザパワー線速補正係数、記録レーザパワー上限値、記録レーザパワー線速補正係数、記録磁気感度、磁気−レーザパルス位相差、パリティ等が挙げられる。
【００５８】
４．ディスクドライブ装置
図９及び図１０を用いて、Ｈｉ-ＭＤ１の記録再生に対応したディスクドライブ装置１０の具体例について説明する。ここでは、ディスクドライブ装置１０は、パーソナルコンピュータ（以下、ＰＣと記す。）１００と接続でき、Ｈｉ-ＭＤ１をオーディオデータのほか、ＰＣ等の外部ストレージとして使用できる。
【００５９】
ディスクドライブ装置１０は、メディアドライブ部１１と、メモリ転送コントローラ１２と、クラスタバッファメモリ１３と、補助メモリ１４と、ＵＳＢインターフェース１５、１６と、ＵＳＢハブ１７と、システムコントローラ１８と、オーディオ処理部１９とを備える。
【００６０】
メディアドライブ部１１は、装填された従来のミニディスク及びＨｉ-ＭＤ１等の個々のディスク９０に対する記録／再生を行う。メディアドライブ部１１の内部構成は、図１０で後述する。
【００６１】
メモリ転送コントローラ１２は、メディアドライブ部１１からの再生データやメディアドライブ部１１に供給する記録データの送受制御を行う。クラスタバッファメモリ１３は、メディアドライブ部１１によってディスク９０のデータトラックから高密度データクラスタ単位で読み出されたデータをメモリ転送コントローラ１２の制御に基づいてバッファリングする。補助メモリ１４は、メディアドライブ部１１によってディスク９０から読み出されたＵＴＯＣデータ、ＣＡＴデータ、ハッシュ値等の各種管理情報や特殊情報をメモリ転送コントローラ１２の制御に基づいて記憶する。
【００６２】
システムコントローラ１８は、ＵＳＢインターフェース１６、ＵＳＢハブ１７を介して接続されたＰＣ１００との間で通信可能とされ、このＰＣ１００との間の通信制御を行って、書込要求、読出要求等のコマンドの受信やステイタス情報、その他の必要情報の送信等を行うとともに、ディスクドライブ装置１０全体を統括制御している。
【００６３】
システムコントローラ１８は、例えば、ディスク９０がメディアドライブ部１１に装填された際に、ディスク９０からの管理情報等の読出をメディアドライブ部１１に指示し、メモリ転送コントローラ１２によって読み出されたＰＴＯＣ、ＵＴＯＣ等の管理情報等を補助メモリ１４に格納させる。
【００６４】
システムコントローラ１８は、これらの管理情報を読み込むことによって、ディスク９０のトラック記録状態を把握できる。また、ＣＡＴを読み込ませることにより、データトラック内の高密度データクラスタ構造を把握でき、ＰＣ１００からのデータトラックに対するアクセス要求に対応できる状態となる。
【００６５】
システムコントローラ１８は、ＰＣ１００から、あるＦＡＴセクタの読出要求があった場合、メディアドライブ部１１に対して、このＦＡＴセクタを含む高密度データクラスタの読出を実行する旨の信号を与える。読み出された高密度データクラスタは、メモリ転送コントローラ１２によってクラスタバッファメモリ１３に書き込まれる。但し、既にＦＡＴセクタのデータがクラスタバッファメモリ１３に格納されていた場合、メディアドライブ部１１による読出は必要ない。
【００６６】
このとき、システムコントローラ１８は、クラスタバッファメモリ１３に書き込まれている高密度データクラスタのデータから、要求されたＦＡＴセクタのデータを読み出す信号を与え、ＵＳＢインターフェース１５、ＵＳＢハブ１７を介して、ＰＣ１００に送信するための制御を行う。
【００６７】
また、システムコントローラ１８は、ＰＣ１００から、あるＦＡＴセクタの書込要求があった場合、メディアドライブ部１１に対して、このＦＡＴセクタを含む高密度データクラスタの読出を実行させる。読み出された高密度データクラスタは、メモリ転送コントローラ１２によってクラスタバッファメモリ１３に書き込まれる。但し、既にこのＦＡＴセクタのデータがクラスタバッファメモリ１３に格納されていた場合は、メディアドライブ部１１による読出は必要ない。
【００６８】
また、システムコントローラ１８は、ＰＣ１００から送信されたＦＡＴセクタのデータ（記録データ）をＵＳＢインターフェース１５を介してメモリ転送コントローラ１２に供給し、クラスタバッファメモリ１３上で該当するＦＡＴセクタのデータの書き換えを実行させる。
【００６９】
また、システムコントローラ１８は、メモリ転送コントローラ１２に指示して、必要なＦＡＴセクタが書き換えられた状態でクラスタバッファメモリ１３に記憶されている高密度データクラスタのデータを記録データとしてメディアドライブ部１１に転送させる。このとき、メディアドライブ部１１は、装着されている媒体が従来のミニディスクであればＥＦＭ変調方式で、Ｈｉ-ＭＤ１であればＲＬＬ（１-７）ＰＰ変調方式で高密度データクラスタの記録データを変調して書き込む。
【００７０】
なお、本具体例として示すディスクドライブ装置１０において、上述した記録再生制御は、データトラックを記録再生する際の制御であり、ＭＤオーディオデータ（オーディオトラック）を記録再生する際のデータ転送は、オーディオ処理部１９を介して行われる。
【００７１】
オーディオ処理部１９は、入力系として、例えば、ライン入力回路／マイクロフォン入力回路等のアナログ音声信号入力部、Ａ／Ｄ変換器、及びデジタルオーディオデータ入力部を備える。また、オーディオ処理部１９は、ＡＴＲＡＣ圧縮エンコーダ／デコーダ、圧縮データのバッファメモリを備える。さらに、オーディオ処理部１９は、出力系として、デジタルオーディオデータ出力部、Ｄ／Ａ変換器及びライン出力回路／ヘッドホン出力回路等のアナログ音声信号出力部を備えている。
【００７２】
ディスク９０に対してオーディオトラックが記録されるのは、オーディオ処理部１９にデジタルオーディオデータ（又は、アナログ音声信号）が入力される場合である。入力されたリニアＰＣＭデジタルオーディオデータ、或いはアナログ音声信号で入力された後、Ａ／Ｄ変換器で変換されて得られたリニアＰＣＭオーディオデータは、ＡＴＲＡＣ圧縮エンコードされ、バッファメモリに蓄積される。その後、所定タイミング（ＡＤＩＰクラスタ相当のデータ単位）でバッファメモリから読み出され、メディアドライブ部１１に転送される。
【００７３】
メディアドライブ部１１では、転送された圧縮データをＥＦＭ変調方式又はＲＬＬ（１-７）ＰＰ変調方式で変調してディスク９０にオーディオトラックとして書き込む。
【００７４】
メディアドライブ部１１は、ディスク９０からオーディオトラックを再生する場合、再生データをＡＴＲＡＣ圧縮データ状態に復調してオーディオ処理部１９に転送する。オーディオ処理部１９は、ＡＴＲＡＣ圧縮デコードを行ってリニアＰＣＭオーディオデータとし、デジタルオーディオデータ出力部から出力する。或いは、Ｄ／Ａ変換器によりアナログ音声信号としてライン出力／ヘッドホン出力を行う。
【００７５】
なお、この図９に示す構成は、一例であって、例えば、ディスクドライブ装置１０をＰＣ１００に接続してデータトラックのみ記録再生する外部ストレージ機器として使用する場合は、オーディオ処理部１９は、不要である。一方、オーディオ信号を記録再生することを主たる目的とする場合、オーディオ処理部１９を備え、さらにユーザインターフェースとして操作部や表示部を備えることが好適である。また、ＰＣ１００との接続は、ＵＳＢに限らず、例えば、ＩＥＥＥ（The Institute of Electrical and Electronics Engineers,Inc.：アメリカ電気・電子技術者協会）の定める規格に準拠した、いわゆるＩＥＥＥ１３９４インターフェースのほか、汎用の接続インターフェースが適用できる。
【００７６】
続いて、従来のミニディスク及びＨｉ-ＭＤ１を記録再生するためのメディアドライブ部１１の構成を図１０を用いて、さらに詳細に説明する。
【００７７】
メディアドライブ部１１は、従来のミニディスク及びＨｉ-ＭＤ１を記録再生するために、特に、記録処理系として、従来のミニディスクの記録のためのＥＦＭ変調・ＡＣＩＲＣエンコードを実行する構成と、Ｈｉ-ＭＤ１の記録のためのＲＬＬ（１-７）ＰＰ変調・ＲＳ-ＬＤＣエンコードを実行する構成とを備える点が特徴的である。また、再生処理系として、従来のミニディスクの再生のためのＥＦＭ復調・ＡＣＩＲＣデコードを実行する構成と、Ｈｉ-ＭＤ１の再生にＰＲ（１，２，１）ＭＬ及びビタビ復号を用いたデータ検出に基づくＲＬＬ（１-７）復調・ＲＳ-ＬＤＣデコードを実行する構成を備えている点が特徴的である。
【００７８】
メディアドライブ部１１は、装填されたディスク９０をスピンドルモータ２１によってＣＬＶ方式又はＺＣＡＶ方式にて回転駆動する。記録再生時には、このディスク９０に対して、光学ヘッド２２からレーザ光が照射される。
【００７９】
光学ヘッド２２は、記録時に記録トラックをキュリー温度まで加熱するための高レベルのレーザ出力を行い、また再生時には、磁気カー効果により反射光からデータを検出するための比較的低レベルのレーザ出力を行う。このため、光学ヘッド２２は、レーザ出力手段としてのレーザダイオード、偏光ビームスプリッタや対物レンズ等からなる光学系及び反射光を検出するためのディテクタが搭載されている。光学ヘッド２２に備えられる対物レンズとしては、例えば２軸機構によってディスク半径方向及びディスクに接離する方向に変位可能に保持されている。
【００８０】
ディスク９０を挟んで光学ヘッド２２と対向する位置には、磁気ヘッド２３が配置されている。磁気ヘッド２３は、記録データによって変調された磁界をディスク９０に印加する。また、図示しないが光学ヘッド２２全体及び磁気ヘッド２３をディスク半径方向に移動させためのスレッドモータ及びスレッド機構が備えられている。
【００８１】
このメディアドライブ部１１では、光学ヘッド２２、磁気ヘッド２３による記録再生ヘッド系、スピンドルモータ２１によるディスク回転駆動系のほかに、記録処理系、再生処理系、サーボ系等が設けられる。記録処理系としては、従来のミニディスクに対する記録時にＥＦＭ変調、ＡＣＩＲＣエンコードを行う部位と、Ｈｉ-ＭＤ１に対する記録時にＲＬＬ（１-７）ＰＰ変調、ＲＳ-ＬＤＣエンコードを行う部位とが設けられる。
【００８２】
また、再生処理系としては、従来のミニディスクの再生時にＥＦＭ変調に対応する復調及びＡＣＩＲＣデコードを行う部位と、Ｈｉ-ＭＤ１の再生時にＲＬＬ（１-７）ＰＰ変調に対応する復調（ＰＲ（１，２，１）ＭＬ及びビタビ復号を用いたデータ検出に基づくＲＬＬ（１-７）復調）、ＲＳ-ＬＤＣデコードを行う部位とが設けられる。
【００８３】
光学ヘッド２２のディスク９０に対するレーザ照射によりその反射光として検出された情報（フォトディテクタによりレーザ反射光を検出して得られる光電流）は、ＲＦアンプ２４に供給される。ＲＦアンプ２４では、入力された検出情報に対して電流-電圧変換、増幅、マトリクス演算等を行い、再生情報としての再生ＲＦ信号、トラッキングエラー信号ＴＥ、フォーカスエラー信号ＦＥ、グルーブ情報（ディスク９０にトラックのウォブリングにより記録されているＡＤＩＰ情報）等を抽出する。
【００８４】
従来のミニディスクの再生時には、ＲＦアンプで得られた再生ＲＦ信号は、コンパレータ２５、ＰＬＬ回路２６を介して、ＥＦＭ復調部２７及びＡＣＩＲＣデコーダ２８で処理される。再生ＲＦ信号は、ＥＦＭ復調部２７で２値化されてＥＦＭ信号列とされた後、ＥＦＭ復調され、さらにＡＣＩＲＣデコーダ２８で誤り訂正及びデインタリーブ処理される。オーディオデータであれば、この時点でＡＴＲＡＣ圧縮データの状態となる。このとき、セレクタ２９は、従来のミニディスク信号側が選択されており、復調されたＡＴＲＡＣ圧縮データがディスク９０からの再生データとしてデータバッファ３０に出力される。この場合、図９のオーディオ処理部１９に圧縮データが供給される。
【００８５】
一方、Ｈｉ-ＭＤ１の再生時には、ＲＦアンプで得られた再生ＲＦ信号は、Ａ／Ｄ変換回路３１、イコライザ３２、ＰＬＬ回路３３、ＰＲＭＬ回路３４を介して、ＲＬＬ（１-７）ＰＰ復調部３５及びＲＳ-ＬＤＣデコーダ３６で信号処理される。再生ＲＦ信号は、ＲＬＬ（１-７）ＰＰ復調部３５において、ＰＲ（１，２，１）ＭＬ及びビタビ復号を用いたデータ検出によりＲＬＬ（１-７）符号列としての再生データを得て、このＲＬＬ（１-７）符号列に対してＲＬＬ（１-７）復調処理が行われる。さらに、ＲＳ-ＬＤＣデコーダ３６にて誤り訂正及びデインタリーブ処理される。
【００８６】
この場合、セレクタ２９は、Ｈｉ-ＭＤ１側が選択され、復調されたデータがディスク９０からの再生データとしてデータバッファ３０に出力される。このとき、図９のメモリ転送コントローラ１２に対して復調データが供給される。
【００８７】
ＲＦアンプ２４から出力されるトラッキングエラー信号ＴＥ、フォーカスエラー信号ＦＥは、サーボ回路３７に供給され、グルーブ情報は、ＡＤＩＰデコータ３８に供給される。
【００８８】
ＡＤＩＰデコータ３８は、グルーブ情報に対してバンドパスフィルタにより帯域制限してウォブル成分を抽出した後、ＦＭ復調、バイフェーズ復調を行ってＡＤＩＰアドレスを抽出する。抽出された、ディスク上の絶対アドレス情報であるＡＤＩＰアドレスは、ＭＤアドレスデコーダ３９を介してドライブコントローラ４０に供給される。
【００８９】
ドライブコントローラ４０では、各ＡＤＩＰアドレスに基づいて、所定の制御処理を実行する。またグルーブ情報は、スピンドルサーボ制御のためにサーボ回路３７に戻される。
【００９０】
サーボ回路３７は、例えばグルーブ情報に対して再生クロック（デコード時のＰＬＬ系クロック）との位相誤差を積分して得られる誤差信号に基づき、ＣＬＶサーボ制御及びＺＣＡＶサーボ制御のためのスピンドルエラー信号を生成する。
【００９１】
またサーボ回路３７は、スピンドルエラー信号や、上記のようにＲＦアンプ２４から供給されたトラッキングエラー信号、フォーカスエラー信号、或いはドライブコントローラ４０からのトラックジャンプ指令、アクセス指令等に基づいて各種サーボ制御信号（トラッキング制御信号、フォーカス制御信号、スレッド制御信号、スピンドル制御信号等）を生成し、モータドライバ４２に対して出力する。すなわち、上記サーボエラー信号や指令に対して位相補償処理、ゲイン処理、目標値設定処理等の必要処理を行って各種サーボ制御信号を生成する。
【００９２】
モータドライバ４１では、サーボ回路３７から供給されたサーボ制御信号に基づいて所定のサーボドライブ信号を生成する。ここでのサーボドライブ信号としては、２軸機構を駆動する２軸ドライブ信号（フォーカス方向、トラッキング方向の２種）、スレッド機構を駆動するスレッドモータ駆動信号、スピンドルモータ２１を駆動するスピンドルモータ駆動信号となる。このようなサーボドライブ信号により、ディスク９０に対するフォーカス制御、トラッキング制御、及びスピンドルモータ２１に対するＣＬＶ制御又はＺＣＡＶ制御が行われる。
【００９３】
ディスク９０に対して記録動作が実行される際には、図９に示したメモリ転送コントローラ１２から高密度データ、或いはオーディオ処理部１９からの通常のＡＴＲＡＣ圧縮データが供給される。
【００９４】
従来のミニディスクに対する記録時には、セレクタ４２が従来のミニディスク側に接続され、ＡＣＩＲＣエンコーダ４３及びＥＦＭ変調部４４が機能する。この場合、オーディオ信号であれば、オーディオ処理部１９からの圧縮データは、ＡＣＩＲＣエンコーダ４３でインタリーブ及びエラー訂正コード付加が行われた後、ＥＦＭ変調部４４においてＥＦＭ変調される。ＥＦＭ変調データがセレクタ４２を介して磁気ヘッドドライバ４５に供給され、磁気ヘッド２３がディスク９０に対してＥＦＭ変調データに基づいた磁界印加を行うことで変調されたデータが記録される。
【００９５】
Ｈｉ-ＭＤ１に対する記録時には、セレクタ４２がＨｉ-ＭＤ１側に接続され、ＲＳ-ＬＣＤエンコーダ４６及びＲＬＬ（１-７）ＰＰ変調部４７が機能する。この場合、メモリ転送コントローラ１２から送られた高密度データは、ＲＳ-ＬＣＤエンコーダ４６でインタリーブ及びＲＳ-ＬＤＣ方式のエラー訂正コード付加が行われた後、ＲＬＬ（１-７）ＰＰ変調部４７にてＲＬＬ（１-７）変調される。
【００９６】
ＲＬＬ（１-７）符号列に変調された記録データは、セレクタ４２を介して磁気ヘッドドライバ４５に供給され、磁気ヘッド２３がディスク９０に対して変調データに基づいた磁界印加を行うことでデータが記録される。
【００９７】
レーザドライバ／ＡＰＣ４８は、上記のような再生時及び記録時においてレーザダイオードにレーザ発光動作を実行させるが、いわゆるＡＰＣ（Automatic Laser Power Control）動作も行う。具体的には、図示しないが、光学ヘッド２２内には、レーザパワーモニタ用のディテクタが設けられており、このモニタ信号がレーザドライバ／ＡＰＣ４８にフィードバックされるようになっている。レーザドライバ／ＡＰＣ４８は、モニタ信号として得られた現在のレーザパワーを予め設定されているレーザパワーと比較して、その誤差分をレーザ駆動信号に反映させることによって、レーザダイオードから出力されるレーザパワーが設定値で安定化されるように制御している。ここで、レーザパワーは、ドライブコントローラ４０によって、再生レーザパワー及び記録レーザパワーとしての値がレーザドライバ／ＡＰＣ４８内部のレジスタにセットされる。
【００９８】
ドライブコントローラ４０は、システムコントローラ１８からの指示に基づいて、以上の各動作（アクセス、各種サーボ、データ書込、データ読出の各動作）が実行されるように各構成を制御する。なお、図１０において一点鎖線で囲った各部は、１チップの回路として構成することもできる。
【００９９】
ところで、ディスク９０が図５のように、予めデータトラック記録領域とオーディオトラック記録領域とが分割して領域設定されている場合、システムコントローラ１８は、記録再生するデータがオーディオトラックかデータトラックかに応じて、設定された記録領域に基づいたアクセスをメディアドライブ部１１のドライブコントローラ４０に指示することになる。
【０１００】
また、装着されたディスク９０に対して、ＰＣ用のデータ又はオーディオデータの何れか一方のみを記録許可し、これ以外のデータの記録を禁止する制御を行うようにもできる。すなわち、ＰＣ用のデータとオーディオデータとを混在しないように制御することもできる。
【０１０１】
したがって、本具体例として示すディスクドライブ装置１０は、上述した構成を備えることにより、従来のミニディスク及びＨｉ-ＭＤ１の間の互換性を実現できる。
【０１０２】
５．ディスク判別手法
図１１（Ａ）、（Ｂ）を用いて、従来のミニディスクであるかＨｉ-ＭＤ１であるかのディスク判別手法について説明する。なお、図１１（Ｂ）は、図１１（Ａ）のＡ−Ａ’断面図である。
上述したディスク９０は、実際には図１１（Ａ）に示すような扁平なカートリッジ９１に収納され、その内部で回転可能とされている。カートリッジ９１にはスライド式のシャッタ９２が設けられ、このシャッタ９２が開けられることで内部のディスク９０が表出する。なお、このシャッタ９２は、通常は閉じてディスク９０を隠蔽しており、ディスクドライブ装置１０に挿入されると、そのデッキ内の機構によりスライドされて開けられるものとされる。カートリッジ９１上の矢印マーク９３は、カートリッジ９１の挿入方向を表している。
【０１０３】
ここで、上述したように、従来のミニディスクとＨｉ-ＭＤ１とは同一の媒体であるため、ディスクドライブ装置１０から取り出した状態では、ユーザは、何れの記録フォーマットであるかを知ることができない。そこで、カートリッジ９１の所定の隅部には、ディスク９０が従来のミニディスクであるかＨｉ-ＭＤ１であるかをユーザが視認可能とするためのスライダ９４が設けられている。このスライダ９４は、図１１（Ｂ）に示すように、カートリッジ９１の厚み方向に僅かに突出した突出部９４ａを有している。
【０１０４】
上述したディスクドライブ装置１０は、カートリッジ９１の挿入時及び取出時にこのスライダ９４をスライドさせるスライド機構を有しており、ディスク９０が従来のミニディスクであるかＨｉ-ＭＤ１であるかに応じて、スライダ９４を図１１（Ａ）に示す各々の方向にスライドさせる。
【０１０５】
先ず、カートリッジ９１の挿入時のスライド機構の動作について、図１２、図１３を用いて説明する。ディスクドライブ装置１０のディスク挿入部が開くと、ディスクドライブ装置１０の蓋側に設けられた爪部１００が蓋部から離隔する方向に押し下げられる。そして、この状態で図中矢印ａで示す方向にカートリッジ９１を挿入すると、爪部１００がスライダ９４の突出部９４ａに当接し、スライダ９４が図中矢印ｂで示す方向、すなわち従来のミニディスクを示す方向にスライドする。つまり、カートリッジ９１の挿入前にスライダ９４が従来のミニディスクの位置にあるかＨｉ-ＭＤ１の位置にあるかに関わりなく、挿入後には従来のミニディスクの位置にスライドした状態となる。
【０１０６】
この爪部１００を押し下げる機構は、例えば図１３に示すように構成することができる。図１３（Ａ）に示すように、プランジャー１０１の先端に可撓性を有する例えば金属板が接続され、その先に上述した爪部１００が接続される。そして、ディスクドライブ装置１０のディスク挿入部が開くと、図１３（Ｂ）に示すようにプランジャー１０１の先端が伸長し、蓋部に設けられた凸部１０２によって爪部１００が蓋部から離隔する方向に押し下げられる。
【０１０７】
続いて、カートリッジ９１の取出時のスライド機構の動作について、図１４を用いて説明する。図中矢印ｃで示す方向にカートリッジ９１を取り出す際に、ディスク９０が従来のミニディスクである場合には、図１４（Ａ）に示すように、爪部１００が押し下げられず、カートリッジ９１は、スライダ９４が挿入時の位置、すなわち従来のミニディスクを示す位置のまま排出される。一方、ディスク９０がＨｉ-ＭＤ１である場合には、図１４（Ｂ）に示すように、挿入時と同様に爪部１００が蓋部から離隔する方向に押し下げられ、再び爪部１００とスライダ９４の突出部９４ａが当接し、スライダ９４が図中矢印ｄで示す方向、すなわちＨｉ-ＭＤ１を示す方向にスライドする。そして、カートリッジ９１は、スライダ９４がＨｉ-ＭＤ１を示す位置にスライドした状態で排出される。
【０１０８】
なお、ディスク９０が従来のミニディスクであるかＨｉ-ＭＤ１であるかは、ＵＴＯＣを参照することで判別することができる。ＵＴＯＣの所定のバイト位置には、メーカーコードとして製造メーカに割り振られたコードナンバが記録されるが、特にＨｉ-ＭＤ１では、このメーカーコードのエリアにＨｉ-ＭＤ１のディスクであることの識別子が記録される。したがって、このＵＴＯＣにＨｉ-ＭＤ１を示すコードが存在しなければ、ディスク９０は従来のミニディスクであり、Ｈｉ-ＭＤ１を示すコードが存在すれば、ディスク９０はＨｉ-ＭＤ１であると分かる。
【０１０９】
このような操作をカートリッジ９１が挿入される毎に行うことで、保管時にスライダ９３が実際の記録フォーマットとは異なる位置にスライドしてしまった場合であっても、カートリッジ９１の取出時には正しい位置に戻るため、ユーザは、カートリッジ９１を取り出した状態で常にディスク９０の記録フォーマットを知ることができる。
【０１１０】
なお、本発明は上述した実施の形態のみに限定されるものではなく、本発明の要旨を逸脱しない範囲において種々の変更が可能であることは勿論である。
【０１１１】
例えば、上述した実施の形態では、カートリッジ９１の挿入時に自動的にスライダ９３が従来のミニディスクを示す位置にスライドするものとして説明したが、逆に、挿入時にＨｉ-ＭＤ１を示す位置にスライドさせても構わない。この場合、ディスク９０の記録フォーマットが従来のミニディスクであれば検出スイッチ１００が押し下げられるが、Ｈｉ-ＭＤ１であれば検出スイッチ１００は押し下げられない。
【０１１２】
また、上述した実施の形態では、従来のミニディスクとＨｉ-ＭＤ１との２段階でスライダ９４を切り替えるものとして説明したが、何れにもフォーマット化されてない状態の空のディスク９０を含めて、３段階でスライダ９４を切り替えるようにしても構わない。
【０１１３】
また、上述した実施の形態では、カートリッジ９１の主面上にスライダ９４を設けたが、カートリッジ９１の側面にスライダ９４を設けるようにしても構わない。この際、スライダ９４のスライド方向は、カートリッジ９１の挿入方向と一致することが好ましい。
【産業上の利用可能性】
【０１１４】
少なくとも２種類の記録フォーマットが選択可能な記録媒体について、ディスクドライブ装置に挿入しなくても、カートリッジに設けられたスライダの位置を確認するのみで、何れの記録フォーマットであるかを識別することができる。
【図面の簡単な説明】
【０１１５】
【図１】本実施の形態における具体例として示すＨｉ-ＭＤ１及び従来のミニディスクの仕様を説明する図である。
【図２】Ｈｉ-ＭＤ１における誤り訂正方式のＢＩＳ付きＲＳ-ＬＤＣブロックを説明する図である。
【図３】Ｈｉ-ＭＤ１の１レコーディングブロック内のＢＩＳ配置を説明する図である。
【図４】Ｈｉ-ＭＤ１のディスク盤面上のエリア構成を説明する模式図である。
【図５】Ｈｉ-ＭＤ１のディスクにオーディオデータとＰＣ用データとを混在記録した場合の盤面上のエリア構成を説明する模式図である。
【図６】Ｈｉ-ＭＤ１のデータ管理構造を説明する模式図である。
【図７】Ｈｉ-ＭＤ１のＡＤＩＰセクタ構造とデータブロックとの関係を説明する模式図である。
【図８】Ｈｉ-ＭＤ１のＡＤＩＰデータ構造を示す模式図である。
【図９】従来のミニディスク及びＨｉ-ＭＤ１に対して互換性を有して記録再生を行うディスクドライブ装置を説明するブロック図である。
【図１０】上記ディスクドライブ装置のメディアドライブ部を説明するブロック図である。
【図１１】ディスクが収納されるカートリッジを説明する図であり、同図（Ａ）は、カートリッジの平面図を示し、同図（Ｂ）は、同図（Ａ）のＡ−Ａ’断面図を示す。
【図１２】カートリッジの挿入時におけるスライド機構の動作を説明する模式図である。
【図１３】スライド機構を拡大して説明する模式図であり、同図（Ａ）は、通常の状態を示し、同図（Ｂ）は、爪部が押し下げられた状態を示す。
【図１４】カートリッジの取出時におけるスライド機構の動作を説明する模式図であり、同図（Ａ）は、従来のミニディスクの場合を示し、同図（Ｂ）は、Ｈｉ-ＭＤ１の場合を示す。
【符号の説明】
【０１１６】
１０  ディスクドライブ装置、９０  ディスク、９１  カートリッジ、９２  シャッタ、９４  スライダ、９４ａ  突出部、１００  爪部、１０１  プランジャー、１０２  凸部
【図１】
2005071506.tif 000003
【図２】
2005071506.tif 000004
【図３】
2005071506.tif 000005
【図４】
2005071506.tif 000006
【図５】
2005071506.tif 000007
【図６】
2005071506.tif 000008
【図７】
2005071506.tif 000009
【図８】
2005071506.tif 000010
【図９】
2005071506.tif 000011
【図１０】
2005071506.tif 000012
【図１１】
2005071506.tif 000013
【図１２】
2005071506.tif 000014
【図１３】
2005071506.tif 000015
【図１４】
2005071506.tif 000016